(57)【特許請求の範囲】
【請求項１】
ドライバーが運転する車両の鍵を収納し施錠する鍵ボックスを複数有する鍵収納装置の鍵管理を行う鍵管理装置であって、
車両の車両ＩＤおよび車両の鍵の鍵ＩＤを含む車両データを記憶部に格納し、
ドライバーの免種に対応する種類の車両の前記車両ＩＤを選択可能に表示する車両選択部と、
選択された前記車両ＩＤに対応する前記鍵ＩＤの鍵の前記鍵ボックスを開錠許可状態に設定する開錠許可部と、
を備えることを特徴とする鍵管理装置。
【請求項２】
ドライバーの運転免許証から読出された情報から当該ドライバーの免種に対応する種類の車両の前記車両ＩＤを抽出する車両ＩＤ抽出部を有することを特徴とする請求項１記載の鍵管理装置。
【請求項３】
前記情報は、運転免許証のICチップから暗証番号の入力無しに読出せる運転免許証の基本情報であることを特徴とする請求項２記載の鍵管理装置。
【請求項４】
ドライバーと点呼執行者の間で行った点呼内容を記録する点呼内容記録部をさらに有することを特徴とする請求項１から請求項３のいずれかに記載の鍵管理装置。
【請求項５】
ドライバーの呼気中のアルコール濃度の測定値を記録するアルコール濃度記録部をさらに有することを特徴とする請求項１から請求項４のいずれかに記載の鍵管理装置。
【請求項６】
ドライバーが運転する車両の鍵を収納し施錠する鍵ボックスを複数有する鍵収納装置と、鍵管理を行う鍵管理装置とを有する鍵管理システムであって、
前記鍵管理装置は、
車両の車両ＩＤおよび車両の鍵の鍵ＩＤを含む車両データを記憶部に格納し、
ドライバーの免種に対応する種類の車両の前記車両ＩＤを選択可能に表示する車両選択部と、
選択された前記車両ＩＤに対応する前記鍵ＩＤの鍵の前記鍵ボックスを開錠許可状態に設定する開錠許可部と、
を備えることを特徴とする鍵管理システム。
【請求項７】
ドライバーが運転する車両の鍵を収納し施錠する鍵ボックスを複数有する鍵収納装置の鍵管理を行う鍵管理装置であって、車両の車両ＩＤおよび車両の鍵の鍵ＩＤを含む車両データを記憶部に格納する鍵管理装置が、
ドライバーの免種に対応する種類の車両の前記車両ＩＤを選択可能に表示するステップと、
選択された前記車両ＩＤに対応する前記鍵ＩＤの鍵の前記鍵ボックスを開錠許可状態に設定するステップと、
を実行することを特徴とする鍵管理方法。
【請求項８】
ドライバーが運転する車両の車両ＩＤおよび車両の鍵の鍵ＩＤを含む車両データを記憶部に格納するコンピュータを、
車両の鍵を収納し施錠する鍵ボックスを複数有する鍵収納装置の鍵管理を行う鍵管理装置であって、
ドライバーの免種に対応する種類の車両の前記車両ＩＤを選択可能に表示する車両選択部と、
選択された前記車両ＩＤに対応する前記鍵ＩＤの鍵の前記鍵ボックスを開錠許可状態に設定する開錠許可部と、
を備える鍵管理装置として機能させるためのプログラム。
【発明の詳細な説明】
【技術分野】
【０００１】
本発明は、車両の鍵を管理する鍵管理装置、鍵管理システム、鍵管理方法、及びプログラムに関する。
【背景技術】
【０００２】
運送業等の事業者は、ドライバーが車両に乗務する前後に対面等で点呼を実施している。乗務前の出庫時点呼では、ドライバーからの日常点検の報告、ドライバー本人の健康状態、酒気帯びの有無についての報告、確認を行い、安全を確保するために必要な指示を行っている。１日の乗務を終了し帰庫したときも同様に、対面等により点呼を実施し、乗務した車両、道路、運行の状況等について報告を受けるとともに、酒気帯びの有無について確認を行っている。
【０００３】
このような点呼業務を支援するため、コンピュータを用いたシステムが利用されている。従来のシステムでは、免許証の有効期限やドライバーの呼気のアルコール濃度のチェック、点呼の結果をコンピュータに入力して記録する。車両の鍵は、点呼を終えた後ドライバーに手渡しされる。
【０００４】
特許文献１には、車両の鍵がドライバー以外の者によって不正に取り出されることを防止する鍵管理装置について記載されている。特許文献１の鍵管理装置は、運転手側点呼装置から個人特定情報を受信し、その個人特定情報が鍵管理装置に予め保持されている個人特定情報と一致しているか否かを照合し、照合結果が良好であった場合にのみ車両の鍵の取り出しを可能としている。これにより、点呼によって本人確認を行った運転手のみが、鍵管理装置に収納された車両の鍵を取り出すことが可能となる。
【先行技術文献】
【特許文献】
【０００５】
【特許文献１】特開2016−069931号公報
【発明の概要】
【発明が解決しようとする課題】
【０００６】
しかしながら、特許文献１の鍵管理装置では、ドライバーの免種（ドライバーが運転免許を取得している車両の種類）に基づき、ドライバーが車両を運転可能であるか否かの確認を行っていない。そのため、ドライバーの免種外の車両の鍵を渡してしまう恐れがあった。
【０００７】
近年、準中型免許が新設され、これにより免種は大特、大型、大型（マイクロ限定）、中型、中型（8t限定）、準中型、準中型（5t限定）、普通の８種類が一般的となった。更に、AT限定、牽引、２種免許の条件が組み合わさることによって、運転免許を取得すべき免種は複雑なものとなっている。実際、ドライバーが免種外の車両を運転していることが取り締まりで発覚することもあり、ドライバーの免種に対応する種類の車両の鍵を確実に受け渡すことの重要性は大きい。
【０００８】
本発明は、このような課題に鑑みてなされたもので、ドライバーの免種に対応する種類の車両の鍵を確実に受け渡すことができる鍵管理装置等を提供することを目的とする。
【課題を解決するための手段】
【０００９】
前述した課題を解決するための第１の発明は、ドライバーが運転する車両の鍵を収納し施錠する鍵ボックスを複数有する鍵収納装置の鍵管理を行う鍵管理装置であって、車両の車両ＩＤおよび車両の鍵の鍵ＩＤを含む車両データを記憶部に格納し、ドライバーの免種に対応する種類の車両の前記車両ＩＤを選択可能に表示する車両選択部と、選択された前記車両ＩＤに対応する前記鍵ＩＤの鍵の前記鍵ボックスを開錠許可状態に設定する開錠許可部と、を備えることを特徴とする鍵管理装置である。
【００１０】
本発明の鍵管理装置は、ドライバーの免種に対応する種類の車両の車両ＩＤを選択可能に表示する。車両ＩＤが選択されると、選択された車両ＩＤに対応する鍵ＩＤを車両データから抽出し、鍵ＩＤに該当する鍵ボックスを開錠許可状態に設定する。これにより、ドライバーの免種に対応する種類の車両の鍵を受け渡して配車を行い、ドライバーの無資格運転を未然に防ぐことが可能となる。また、選択された車両の鍵の鍵ボックスを開錠許可し、それ以外の鍵ボックスは施錠状態とすることで、鍵の取り違えを防止できる。
【００１１】
前記鍵管理装置は、ドライバーの運転免許証から読出された情報から当該ドライバーの免種に対応する種類の車両の前記車両ＩＤを抽出する車両ＩＤ抽出部を有することが望ましい。前記情報は、運転免許証のICチップから暗証番号の入力無しに読出せる運転免許証の基本情報であることが望ましい。
ドライバーの免種に対応する種類の車両の車両ＩＤは、ドライバーの運転免許証の情報を読出し、その情報からドライバーを特定することで抽出できる。上記の情報を運転免許証から暗証番号の入力無しに読出せる基本情報とすることで、操作の手間を省くことができる。
【００１２】
前記鍵管理装置は、ドライバーと点呼執行者の間で行った点呼内容を記録する点呼内容記録部をさらに有することが望ましい。また、ドライバーの呼気中のアルコール濃度の測定値を記録するアルコール濃度記録部をさらに有することも望ましい。
本発明の鍵管理装置は点呼やアルコール検査等の結果を記録する点呼支援機能を有し、点呼やアルコール検査を経た後に開錠許可を実行することができる。
【００１３】
第２の発明は、ドライバーが運転する車両の鍵を収納し施錠する鍵ボックスを複数有する鍵収納装置と、鍵管理を行う鍵管理装置とを有する鍵管理システムであって、前記鍵管理装置は、車両の車両ＩＤおよび車両の鍵の鍵ＩＤを含む車両データを記憶部に格納し、ドライバーの免種に対応する種類の車両の前記車両ＩＤを選択可能に表示する車両選択部と、選択された前記車両ＩＤに対応する前記鍵ＩＤの鍵の前記鍵ボックスを開錠許可状態に設定する開錠許可部と、を備えることを特徴とする鍵管理システムである。
【００１４】
第３の発明は、ドライバーが運転する車両の鍵を収納し施錠する鍵ボックスを複数有する鍵収納装置の鍵管理を行う鍵管理装置であって、車両の車両ＩＤおよび車両の鍵の鍵ＩＤを含む車両データを記憶部に格納する鍵管理装置が、ドライバーの免種に対応する種類の車両の前記車両ＩＤを選択可能に表示するステップと、選択された前記車両ＩＤに対応する前記鍵ＩＤの鍵の前記鍵ボックスを開錠許可状態に設定するステップと、を実行することを特徴とする鍵管理方法である。
【００１５】
第４の発明は、ドライバーが運転する車両の車両ＩＤおよび車両の鍵の鍵ＩＤを含む車両データを記憶部に格納するコンピュータを、車両の鍵を収納し施錠する鍵ボックスを複数有する鍵収納装置の鍵管理を行う鍵管理装置であって、ドライバーの免種に対応する種類の車両の前記車両ＩＤを選択可能に表示する車両選択部と、選択された前記車両ＩＤに対応する前記鍵ＩＤの鍵の前記鍵ボックスを開錠許可状態に設定する開錠許可部と、を備える鍵管理装置として機能させるためのプログラムである。
【発明の効果】
【００１６】
本発明により、ドライバーの免種に対応する種類の車両の鍵を確実に受け渡すことができる鍵管理装置等を提供することができる。
【図面の簡単な説明】
【００１７】
【図１】鍵管理システム１０の全体構成を示す図。
【図２】鍵管理装置１のハードウェア構成を示す図。
【図３】鍵管理システム１０の機能構成を示す図。
【図４】免許証データ２１と車両データ２２を示す図。
【図５】免許証登録画面２００を示す図。
【図６】車両登録画面３００を示す図。
【図７】鍵管理システム１０の処理を示すフローチャート。
【図８】点呼画面１００を示す図。
【図９】運転免許確認画面１１０の例。
【図１０】アルコール検査画面１２０の例。
【図１１】点呼内容記録画面１３０の例。
【図１２】車両ナンバー２２２等の入力手順について示すフローチャート。
【図１３】点呼内容記録画面１３０の一部を示す図。
【図１４】使用状況データ２３を示す図。
【図１５】免許証データ２１、車両データ２２および配車データ２４を示す図。
【発明を実施するための形態】
【００１８】
以下、図面に基づいて本発明の実施形態を詳細に説明する。
【００１９】
［第１の実施形態］
（１．鍵管理システム１０）
図１は本発明の実施形態に係る鍵管理システム１０の全体構成を示す図である。図１に示すように、鍵管理システム１０は、鍵管理装置１、読取装置３、鍵収納装置４、アルコール検知器５、及びカメラ６等を有する。
【００２０】
鍵管理装置１は、運送業等の事業者において、ドライバー（運転者）が運転する車両の鍵管理に関する処理を実行する。また本実施形態の鍵管理装置１は、点呼支援装置としてドライバーの点呼やアルコール検査に関する処理も実行する。
【００２１】
図２は鍵管理装置１のハードウェア構成を示す図である。図２に示すように、鍵管理装置１は、制御部１１、記憶部１２、メディア入出力部１３、通信制御部１４、入力部１５、表示部１６、周辺機器I/F部１７等がバスを介して接続されたコンピュータにより実現できる。なお、図２に示す構成は一例であり、鍵管理装置１は用途、目的に応じて様々な構成を採ることが可能である。
【００２２】
制御部１１は、CPU、ROM、RAM等を有する。CPUは、記憶部１２やROM等の記録媒体に格納されるプログラムをRAM上のワークメモリ領域に呼び出して実行し、バスを介して接続された各部を駆動制御して鍵管理装置１の後述する各処理を実現する。ROMは不揮発性メモリであり、コンピュータのブートプログラムやBIOS等のプログラム、データ等を恒久的に保持している。RAMは揮発性メモリであり、記憶部１２やROM等の記録媒体からロードしたプログラムやデータを一時的に保持するとともに、制御部１１が各種処理を行う為に使用するワークエリアを備える。
【００２３】
記憶部１２は、ハードディスクドライブやフラッシュメモリ等であり、制御部１１が実行するプログラム、プログラム実行に必要なデータ、OS等が格納される。特に本実施形態では、後述する処理を鍵管理装置１に実行させるためのアプリケーションプログラムおよびデータベース２が記憶部１２に格納される。
【００２４】
メディア入出力部１３は、メモリカード等の記録媒体（メディア）に対しデータを書込んだりデータを読み出したりするためのインタフェースである。
【００２５】
通信制御部１４は、鍵管理装置１の通信を媒介する通信インタフェースであり、ネットワークを介した他の装置等との通信の制御を行う。ネットワークは、有線、無線を問わない。
【００２６】
入力部１５は、キーボード、マウス、タッチパネル等の入力装置を含む。入力部１５は、入力装置を介して入力されたデータや操作指示を制御部１１に送信する。
【００２７】
表示部１６は、液晶パネル等のディスプレイ等を備え、制御部１１の指示に従って画像やテキスト等のデータをディスプレイに表示する。
【００２８】
周辺機器I/F（インタフェース）部１７は、周辺機器を接続するためのポートであり、制御部１１は周辺機器I/F部１７を介して周辺機器とのデータの送受信を行う。
【００２９】
図１の説明に戻る。読取装置３はドライバーの運転免許証を読取るものであり、リーダ及びスキャナを備える。リーダは運転免許証のICチップ（不図示）に格納されている運転免許証の基本情報を読出す。基本情報については後述する。スキャナは、ガラス台に置かれた運転免許証をCCD（Charge Coupled Device）やCMOS（Complementary Metal Oxide Semiconductor）等の撮像素子によって撮影し、免許証画像を取得する。
【００３０】
鍵収納装置４は、ドライバーが運転する車両の鍵を収納する鍵ボックス４１を複数有し、各鍵ボックス４１の施錠を行う。各鍵ボックス４１には事業者が保有する車両の鍵がそれぞれ収納され、これらの鍵ボックス４１のそれぞれに対し、収納する鍵の鍵ＩＤが割り当てられる。本実施形態では鍵ＩＤに後述する鍵ナンバーを用いるが、これに限らず、個々の鍵を識別できる識別情報であればよい。
【００３１】
アルコール検知器５は、ドライバーの呼気のアルコール濃度を測定するものである。アルコール検知器５としては既知のものを用いることができる。
【００３２】
カメラ６は、例えばCCDやCMOSなどの撮像素子を用いたカメラであり、点呼時のドライバーの姿を動画として撮影する。
【００３３】
図３は、鍵管理システム１０の機能構成を示す図である。図３に示すように、鍵管理システム１０の鍵管理装置１は、車両ＩＤ抽出部１０１、車両選択部１０２、開錠許可部１０３、アルコール濃度記録部１０４、点呼内容記録部１０５等を有する。また、記憶部１２のデータベース２には免許証データ２１、車両データ２２等が格納される。
【００３４】
車両ＩＤ抽出部１０１は、ドライバーの運転免許証から読出された基本情報を用いてドライバーを特定し、当該ドライバーの免種（ドライバーが運転免許を取得している車両の種類）に対応する種類の車両の車両ＩＤを抽出する。車両の種類には、例えば大特、大型、大型（マイクロ限定）、中型、中型（8t限定）、準中型、準中型（5t限定）、普通などがある。本実施形態では車両ＩＤに後述する車両ナンバーを用いるが、これに限らず、個々の車両を識別できる識別情報であればよい。
【００３５】
車両選択部１０２は、ドライバーの免種に対応する種類の車両の車両ＩＤを表示部１６に選択可能に表示する。
【００３６】
開錠許可部１０３は、選択された車両ＩＤに対応する鍵ＩＤの鍵の鍵ボックス４１を開錠許可状態に設定するものである。
【００３７】
アルコール濃度記録部１０４は、アルコール検知器５から入力されるドライバーの呼気中のアルコール濃度の測定値を記録するものである。
【００３８】
点呼内容記録部１０５は、ドライバーと点呼執行者の間で行った点呼内容を記録するものである。
【００３９】
（２．免許証データ２１と車両データ２２）
図４に示すように、免許証データ２１は、ドライバーの運転免許証の免許証番号２１１、交付年月日２１２、有効期限２１３、免許証画像２１４、ドライバーの氏名２１５、生年月日２１６、免許取得日２１７、免種２１８、免許条件２１９等の情報を記録したものである。これらの情報はドライバーごとに登録される。免種２１８は例えば前記した大特、大型、大型（マイクロ限定）、中型、中型（8t限定）、準中型、準中型（5t限定）、普通などである。
【００４０】
免許証画像２１４を除く情報は運転免許証のICチップにも格納されており、このうち免許証番号２１１、交付年月日２１２、有効期限２１３は暗証番号の入力無しにICチップから読出せる基本情報２１０である。
【００４１】
免許証データ２１の登録は、図５に示すような免許証登録画面２００を鍵管理装置１の表示部１６に表示させて行うことができる。免許証登録画面２００は、免許証画像表示欄２０１、基本情報表示欄２０２、免許証データ入力欄２０４、「登録」ボタン２０６、および「暗証番号入力」ボタン２０７等を有する。この他、免許証登録画面２００では運転免許証の読取指示を読取装置３に対して行うためのボタンや前画面に戻るためのボタン、操作ガイド等を表示させてもよい。
【００４２】
免許証データ２１の登録時、ドライバーは読取装置３で運転免許証を読取らせる。すなわち、読取装置３によって運転免許証のICチップから基本情報２１０を読出すとともに運転免許証の撮影を行い免許証画像２１４を取得して、読取装置３から鍵管理装置１に基本情報２１０と免許証画像２１４を入力する。免許証画像２１４は免許証画像表示欄２０１に表示され、基本情報２１０（免許証番号２１１、交付年月日２１２、有効期限２１３）は基本情報表示欄２０２に表示される。
【００４３】
基本情報表示欄２０２には、運転免許証が偽造されたものであるか否かの偽造判定の結果２０２１、及び有効期限２１３までの残日数２０２２等も表示される。偽造判定は免許証画像２１４を用いて行うことができ、残日数２０２２は運転免許証を読取った日から有効期限２１３までの日数として鍵管理装置１が算出する。これらの情報を確認することで、有効な運転免許証の免許証データ２１のみを登録することができる。
【００４４】
免許証データ入力欄２０４は、基本情報２１０と免許証画像２１４以外の免許証データ２１の情報を入力するものである。当該情報は各入力欄にタイプ等して直接入力できるが、「暗証番号入力」ボタン２０７を押下することにより自動入力することもできる。すなわち、「暗証番号入力」ボタン２０７を押下して暗証番号入力画面（不図示）を表示させ、当該画面に運転免許証の暗証番号を入力することで、基本情報２１０と免許証画像２１４以外の免許証データ２１の情報が運転免許証のICチップから読出され、免許証データ入力欄２０４の各入力欄に自動入力される。
【００４５】
「登録」ボタン２０６は免許証データ２１を登録するためのボタンである。「登録」ボタン２０６を押下すると、鍵管理装置１は入力された免許証データ２１をデータベース２に登録する。
【００４６】
一方、車両データ２２は、図４に示すように車両の車両名２２１、車両ナンバー２２２、車両の種類２２３、車両総重量２２４、最大積載量２２５、乗車定員２２６、車検満了日２２７、および車両の鍵の鍵ナンバー２２８等を事業者が保有する車両ごとに記録したものである。車両の種類２２３は前記の免種２１８と同様であり、例えば前記した大特、大型、大型（マイクロ限定）、中型、中型（8t限定）、準中型、準中型（5t限定）、普通などである。
【００４７】
車両データ２２の登録は、図６に示すような車両登録画面３００を鍵管理装置１の表示部１６に表示させて行うことができる。車両登録画面３００は、車両データ入力欄３０１および「更新」ボタン３０４等を有する。登録者は、車両データ入力欄３０１の各入力欄に車両データ２２の各情報を入力し、「更新」ボタン３０４を押下する。すると、鍵管理装置１は入力された車両データ２２をデータベース２に登録する。この他、車両登録画面３００では、車両登録画面３００を閉じて車両登録を中止するためのボタンや、入力内容を削除するためのボタン等を設けることもできる。
【００４８】
（３．鍵管理方法）
次に、図７等を参照して鍵管理システム１０における鍵管理方法の流れを説明する。図７は鍵管理システム１０の処理を示すフローチャートであり、図のＳ１、Ｓ４〜Ｓ７、Ｓ１０〜Ｓ１６は鍵管理装置１の制御部１１が実行する処理である。Ｓ２、３は読取装置３の制御部（不図示）が、Ｓ８、９はアルコール検知器５の制御部（不図示）が、Ｓ１７、１８は鍵収納装置４の制御部（不図示）がそれぞれ実行する。
【００４９】
鍵管理装置１は、点呼執行者の指示入力に応じてアプリケーションを起動し、図８に示すような点呼画面１００を表示する（Ｓ１）。点呼画面１００は、運転免許確認画面１１０、アルコール検査画面１２０、点呼内容記録画面１３０、点呼状況確認画面１４０等を有する。
【００５０】
運転免許確認画面１１０には、「免許証をかざしてください」などの操作ガイドが表示される。ドライバーが運転免許証を読取装置３にかざすと、読取装置３は運転免許証のICチップから基本情報２１０を読出し（Ｓ２）、基本情報２１０を鍵管理装置１に送信する（Ｓ３）。
【００５１】
鍵管理装置１は、基本情報２１０を受信する（Ｓ４）と、当該基本情報２１０を含む免許証データ２１をデータベース２から抽出し（Ｓ５）、これにより運転免許証をかざしたドライバーがシステム上で特定される。なお、基本情報２１０を含む免許証データ２１がデータベース２に未登録である場合は、ドライバーがかざした運転免許証が無効である旨を運転免許確認画面１１０に表示することが可能である。
【００５２】
鍵管理装置１は、Ｓ５で抽出した免許証データ２１を運転免許確認画面１１０に表示する（Ｓ６）。図９はこの時の運転免許確認画面１１０の例であり、免許証データ２１として有効期限２１３、免許証画像２１４、ドライバーの氏名２１５、免種２１８、免許条件２１９等が表示される。また、運転免許確認画面１１０では有効期限２１３までの残日数１１１、点呼日時１１２（現在日時）、「出庫」ボタン１１３、「中間」ボタン１１４、「帰庫」ボタン１１５等も表示される。
【００５３】
なお、残日数１１１は、点呼日時１１２と有効期限２１３を比較して鍵管理装置１が算出する。また、「出庫」ボタン１１３は、後述する点呼履歴情報を出庫時点呼として記録するためのボタンである。「中間」ボタン１１４は、点呼履歴情報を乗務前後ではない（出庫と帰庫の間の）点呼として記録するためのボタンである。「帰庫」ボタン１１５は、点呼履歴情報を帰庫時点呼として記録するためのボタンである。
【００５４】
点呼執行者は運転免許確認画面１１０の免許証画像２１４や有効期限２１３等を見てドライバーの運転免許が有効であることを確認し、「出庫」ボタン１１３、「中間」ボタン１１４、「帰庫」ボタン１１５のいずれかを押下する。すると、鍵管理装置１は、運転免許の確認結果（運転免許証が有効であること）、および点呼日時１１２を記憶部１２等に記録する（Ｓ７）。
【００５５】
本実施形態は出庫時点呼を行う例について説明し、ここでは「出庫」ボタン１１３が押下されるものとする。なお、「出庫」ボタン１１３、「中間」ボタン１１４、「帰庫」ボタン１１５のいずれかが押下されるまでは運転免許を未確認である旨のマークを運転免許確認画面１１０に表示しておき、「出庫」ボタン１１３、「中間」ボタン１１４、「帰庫」ボタン１１５のいずれかが押下されると、運転免許を確認済である旨のマークを運転免許確認画面１１０に表示するようにしてもよい。
【００５６】
続いて、鍵管理装置１はアルコール検査画面１２０に図１０（ａ）に示すような初期画面を表示する。アルコール検査画面１２０では、カメラ６により撮影されるドライバーのリアルタイムの動画１２１が表示されるとともに、「呼気を吹きかけてください」のような操作ガイドがメッセージ欄１２２に表示される。ドライバーがアルコール検知器５の測定ボタン（不図示）を押し、アルコール検知器５に呼気を吹きかけると、アルコール検知器５は呼気中のアルコール濃度を測定し（Ｓ８）、測定値を鍵管理装置１に送信する（Ｓ９）。
【００５７】
鍵管理装置１は、アルコール濃度の測定値を受信する（Ｓ１０）と、図１０（ｂ）に示すように受信した測定値をアルコール濃度欄１２３に表示する（Ｓ１１）。メッセージ欄１２２には解析を完了した旨や操作ガイドが表示される。なお、アルコール濃度の測定値はアルコール濃度欄１２３に直接入力することも可能である。
【００５８】
アルコール検査画面１２０の「確定」ボタン１２４はアルコール濃度の測定値を確定するためのボタンであり、点呼執行者がアルコール濃度を確認し、「確定」ボタン１２４を押下することで、アルコール濃度の測定値が記憶部１２等に記録される（Ｓ１２）。
【００５９】
なお、鍵管理装置１はアルコール濃度の測定値を所定値と比較するなどしてドライバーの乗務の可否を判定し、Ｓ１２においてその判定結果を測定値とともに記録することも可能である。乗務不可と判定される場合は後述する開錠許可を行わないようにすることもできる。また前記と同様、「確定」ボタン１２４が押下されるまではアルコール検査を未実行である旨のマークをアルコール検査画面１２０に表示しておき、「確定」ボタン１２４が押下されると、アルコール検査を実行済である旨のマークをアルコール検査画面１２０に表示するようにしてもよい。
【００６０】
続いて、点呼執行者はドライバーとの間で点呼を行う。その点呼内容は点呼内容記録画面１３０に入力され、鍵管理装置１は点呼内容の入力を受付ける（Ｓ１３）。ここでは対面点呼を行うものとする。対面点呼は、ドライバーと点呼執行者とが対面してドライバーの健康状態を確認したり、注意、指示を行ったり、ドライバーの本人確認、配車確認等を行う処理である。
【００６１】
Ｓ１３では、図１１に示す点呼内容記録画面１３０の点呼内容入力欄１３１に点呼内容が入力され、表示される。点呼内容入力欄１３１では、点呼時の天候１３１０、ドライバーの健康状態１３１１、日常点検の結果１３１２、点呼時の確認事項１３１３、指示事項１３１４、運行管理者の氏名１３１５、点呼執行者の氏名１３１６、ドライバーの氏名２１５、作業内容１３１８等が入力される。
【００６２】
例えば天候１３１０は晴、曇、風、雨、雪等の天候状態の中から選択し、入力することできる。またドライバーの健康状態１３１１の初期値は「○」であるが、特記事項が入力されると「○」の表示が消えて当該特記事項が表示される。日常点検の結果１３１２はドライバーが運転する車両の日常点検の結果であり、上記と同じく初期値が「○」であり、特記事項が入力されると「○」の表示が消えて当該特記事項が表示される。ドライバーの氏名２１５については、Ｓ５で抽出された免許証データ２１から自動入力される。
【００６３】
また、点呼内容入力欄１３１では、ドライバーが運転する車両の車両ナンバー２２２、種類２２３、車検満了日２２７、鍵ナンバー２２８なども入力される。この入力手順の詳細については後述する。その他の点呼内容は入力欄に直接入力できるが、入力候補を選択肢として表示し、そこから選択することによって入力を行うこともできる。
【００６４】
点呼執行者は、各入力欄の点呼内容を見てドライバーが車両ナンバー２２２の車両による乗務を行えることを確認すると、「点呼終了」ボタン１３４を押下する。すると、鍵管理装置１は点呼内容入力欄１３１に入力された点呼内容を記憶部１２等に記録する（Ｓ１４）。前記と同様、「点呼終了」ボタン１３４が押下されるまでは点呼が未実行である旨のマークを点呼内容記録画面１３０に表示しておき、「点呼終了」ボタン１３４が押下されると、点呼を実行済である旨のマークを点呼内容記録画面１３０に表示するようにしてもよい。
【００６５】
また、点呼執行者が「記録」ボタン１３６を押下することにより、鍵管理装置１は記憶部１２等に記録されている運転免許証の確認結果、点呼日時、アルコール濃度の測定値、点呼内容等を紐づけて点呼履歴情報として記憶部１２に登録する（Ｓ１５）。図９の「出庫」ボタン１１３、「中間」ボタン１１４、「帰庫」ボタン１１５のうちどれが押下されていたかに応じて、点呼履歴情報は出庫時のもの、乗務前後でないもの（出庫と帰庫の間のもの）、帰庫時のもののどれかとして登録される。なお、カメラ６により撮影されたドライバーの動画あるいは当該動画の所定のタイミングを切出した静止画を点呼履歴情報として登録することも可能である。
【００６６】
点呼履歴情報は点呼状況確認画面１４０に表示され、これを確認したり、点呼記録簿として印刷出力したりすることが可能である。点呼状況確認画面１４０では、ドライバーが帰庫済である、出庫済であるが未帰庫である等のドライバーの乗務状況ごとに点呼履歴情報を表示することも可能である。なお、図１１に示す点呼内容記録画面１３０では、点呼内容記録画面１３０を閉じるためのボタンや点呼内容入力欄１３１に入力された内容を消去するためのボタンを設けることもできる。
【００６７】
鍵管理装置１は、点呼履歴情報を登録した後、点呼内容入力欄１３１に入力された鍵ナンバー２２８の鍵の鍵ボックス４１を開錠許可状態に設定するよう、当該鍵ナンバー２２８を含む開錠許可を鍵収納装置４に送信する（Ｓ１６）。
【００６８】
鍵収納装置４は、鍵管理装置１から開錠許可を受信する（Ｓ１７）と、上記の鍵ナンバー２２８の鍵の鍵ボックス４１を開錠許可状態とする（Ｓ１８）。本実施形態では、鍵ボックス４１を開錠許可状態とし、且つドライバーが特定の情報を鍵収納装置４に入力することで、鍵ボックス４１の扉が開錠される。特定の情報は例えば運転免許証のICチップに格納された免許証データの情報や、開錠用のパスワード等である。
【００６９】
（４．車両ナンバー２２２等の入力）
前記したように、Ｓ１３では点呼内容入力欄１３１にドライバーが運転する車両の車両ナンバー２２２、種類２２３、車検満了日２２７、車両の鍵の鍵ナンバー２２８などの情報が入力される。図１２はこの入力手順について示すフローチャートであり、図の各ステップは鍵管理装置１の制御部１１が実行する。
【００７０】
本実施形態では、図１３（ａ）に点呼内容記録画面１３０の一部を示すように、車両ナンバー２２２の入力欄に「車両ナンバーを選択してください」などの操作ガイドが表示され、点呼執行者はこの入力欄を選択する。すると、鍵管理装置１は車両データ２２を参照し、Ｓ５で得た免許証データ２１の免種２１８に対応する種類２２３の車両の車両ナンバー２２２を全て抽出し（Ｓ２１）、抽出した車両ナンバー２２２を図１３（ｂ）に示すようにプルダウンリスト１３７等により選択可能に表示する（Ｓ２２）。
【００７１】
点呼執行者がドライバーとの間の点呼結果に基づきドライバーの運転する車両の車両ナンバー２２２を選択すると、鍵管理装置１は、その車両ナンバー２２２に対応する鍵ナンバー２２８、種類２２３、車検満了日２２７を車両データ２２から抽出し（Ｓ２３）、図１３（ｃ）に示すように選択された車両ナンバー２２２およびこれに対応する鍵ナンバー２２８、種類２２３、車検満了日２２７をそれぞれ点呼内容入力欄１３１に自動入力して表示する（Ｓ２４）。
【００７２】
このように、車両ナンバー２２２の入力時には、ドライバーの免種２１８に対応する種類２２３の車両の車両ナンバー２２２のみを選択可能に表示することで、前記のＳ１６においてドライバーの免種外の車両の鍵ボックス４１の開錠許可を行うことがなくなり、ドライバーの無資格運転を未然に防ぐことができる。
【００７３】
以上に説明した本実施形態によれば、鍵管理装置１はドライバーの免種２１８に対応する種類２２３の車両の車両ナンバー２２２を選択可能に表示する。車両ナンバー２２２が選択されると、選択された車両ナンバー２２２に対応する鍵ナンバー２２８を車両データ２２から抽出し、鍵ナンバー２２８に該当する鍵ボックス４１を開錠許可状態に設定する。これにより、ドライバーの免種２１８に対応する種類２２３の車両の鍵を受け渡して配車を行い、ドライバーの無資格運転を未然に防ぐことが可能となる。また、選択された車両の鍵の鍵ボックス４１を開錠許可し、それ以外の鍵ボックス４１は施錠状態とすることで、鍵の取り違えを防止できる。
【００７４】
ドライバーの免種２１８に対応する種類２２３の車両の車両ナンバー２２２は、ドライバーの運転免許証から基本情報２１０を読出し、その基本情報２１０からドライバー（の免許証データ２１）を特定することで抽出できる。上記の基本情報２１０は運転免許証から暗証番号の入力無しに読出せる情報なので、操作の手間を省くことができる。ただし、暗証番号を入力するなどして免許証データ２１のその他の情報を運転免許証から読出してもよい。
【００７５】
また、本実施形態の鍵管理装置１は、点呼やアルコール検査等の結果を記録する点呼支援機能を有し、点呼やアルコール検査を経た後に開錠許可を実行することができる。
【００７６】
しかしながら、本発明はこれに限らない。例えば本実施形態では対面点呼を行っているが、アルコール検知器５や読取装置３を鍵管理装置１から離れた場所に鍵管理装置１と通信可能に設置し、電話などを併用して点呼執行者から離れた箇所にいるドライバーのアルコール検査や点呼を行うことも可能である。
【００７７】
また本実施形態ではドライバーを特定するためにＳ２でドライバーの運転免許証の基本情報２１０を読取装置３で読出してＳ５で基本情報２１０に対応する免許証データ２１を抽出しているが、ドライバーの氏名２１５など免許証データ２１の一部の情報を鍵管理装置１に直接入力し、当該情報に対応する免許証データ２１を抽出してもよい。
【００７８】
また、データベース２には図１４に示すような車両の使用状況データ２３をさらに格納しておくことも可能である。使用状況データ２３は、事業者が保有する各車両の車両ナンバー２２２とその使用状況２３１とを紐付けたものである。使用状況２３１には車両が使用中かそうでないかを記録し、例えば鍵収納装置４で鍵ボックス４１を開錠した時に、車両データ２２において当該鍵ボックス４１の鍵ナンバー２２８に対応する車両ナンバー２２２の使用状況２３１を「使用中」とする。
【００７９】
前記のＳ２２（図１２参照）では使用状況データ２３を参照し、使用状況２３１が「使用中」となっている車両ナンバー２２２は選択可能な車両ナンバー２２２として表示しないようにするか、使用中であることが認識可能となるように表示し、この車両ナンバー２２２が選択されないようにする。これにより、使用中の車両の車両ナンバー２２２を誤って選択するのを防ぐことができる。
【００８０】
次に、本発明の別の例を第２の実施形態として説明する。第２の実施形態は第１の実施形態と異なる点について説明し、同様の点については図等で同じ符号を付すなどして説明を省略する。
【００８１】
［第２の実施形態］
第２の実施形態では、データベース２が、図１５に示すようにドライバーの氏名２１５、車両ナンバー２２２、および作業内容２４１等を含む配車データ２４をさらに有する。
【００８２】
配車データ２４の車両ナンバー２２２は、車両データ２２の車両ナンバー２２２のうち、ドライバーの免種２１８に対応する種類２２３の車両の車両ナンバー２２２を予め記録したものである。また作業内容２４１にはドライバーがその車両ナンバー２２２の車両を用いて行う作業が入力される。
【００８３】
鍵管理方法は基本的には第１の実施形態と同様である。ただし本実施形態では、前記のＳ２１（図１２参照）において配車データ２４を参照し、Ｓ５で得た免許証データ２１の氏名２１５に対応する車両ナンバー２２２を全て抽出し、抽出した車両ナンバー２２２をＳ２２で図１３（ｂ）と同様に点呼内容入力欄１３１にて選択可能に表示する。点呼執行者が車両ナンバー２２２を選択すると、鍵管理装置１は前記した鍵ナンバー２２８等の他、車両ナンバー２２２に対応する作業内容２４１も配車データ２４から抽出し、点呼内容入力欄１３１に自動入力する。
【００８４】
本実施形態では、ドライバーの免種２１８に対応する種類２２３の車両の車両ナンバー２２２を配車データ２４から抽出でき、これを選択可能に表示することで、第１の実施形態と同様の効果が得られる。また本実施形態ではどのドライバーがどの車両を使用してどのような作業を行うかを配車データ２４として登録することで、ドライバーの運転免許の種類に即した適切な車両を円滑に配車可能となる。
【００８５】
その他、ドライバーの業務等に応じて配車データ２４の車両ナンバー２２２に優先順位を付けておき、Ｓ２２において車両ナンバー２２２を選択可能に表示する際に、配車データ２４に基づいて車両ナンバー２２２の表示順を定めたりすることも可能である。例えば、より優先順位の高い業務に関する車両ナンバー２２２をより上に表示することができる。
【００８６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８７】
１：鍵管理装置
２：データベース
３：読取装置
４：鍵収納装置
５：アルコール検知器
６：カメラ
１０：鍵管理システム
２１：免許証データ
２２：車両データ
２３：使用状況データ
２４：配車データ
４１：鍵ボックス
２１０：基本情報
２１１：免許証番号
２１２：交付年月日
２１３：有効期限
２１４：免許証画像
２１５：氏名
２１６：生年月日
２１７：免許取得日
２１８：免種
２１９：免許条件
２２１：車両名
２２２：車両ナンバー
２２３：車両の種類
２２４：車両総重量
２２５：最大積載量
２２６：乗車定員
２２７：車検満了日
２２８：鍵ナンバー
２３１：使用状況
２４１：作業内容
【図１】
0006988527.tif 000002
【図２】
0006988527.tif 000003
【図３】
0006988527.tif 000004
【図４】
0006988527.tif 000005
【図５】
0006988527.tif 000006
【図６】
0006988527.tif 000007
【図７】
0006988527.tif 000008
【図８】
0006988527.tif 000009
【図９】
0006988527.tif 000010
【図１０】
0006988527.tif 000011
【図１１】
0006988527.tif 000012
【図１２】
0006988527.tif 000013
【図１３】
0006988527.tif 000014
【図１４】
0006988527.tif 000015
【図１５】
0006988527.tif 000016